(57)【特許請求の範囲】
【請求項１】
導体を絶縁体で被覆した絶縁線心の複数本を平行に並べて上からシースで被覆してなるケーブルの１本が挿入できる大きさの断面形状が全長にわたって形成されるケーブル挿入孔が設けられ、前記ケーブル挿入孔の前方を押圧する一対のケーブル把持レバーを支点ピンを介して回動可能に軸支し、前記ケーブル把持レバーの後端部にばねを結合し、該ばねの付勢によって、前記一対のケーブル把持レバーのそれぞれの前端部間に前記ケーブルをその平型の上下方向からばね力で挟み込むケーブル挿入ブロックと，
前記ケーブル挿入ブロックの前記ケーブル挿入孔の形成側とは反対側に設けられ、前記ケーブル挿入ブロックの前記ケーブル挿入孔に連通して前記ケーブルの複数本の絶縁線心を向心させて揃えるための向心用テーパ孔を設け、前記向心用テーパ孔に後続して前記複数本の絶縁線心を個々に、横並び平行に仕切って挿入する前記絶縁線心に対応した数の導通ガイド孔を形成し、前記複数本の絶縁線心を個々に、横並び平行に仕切って挿入する前記複数本の導通ガイド孔に、ピン保持筒に進退動作可能に収納され該ピン保持筒に装着されるばねによって該ピン保持筒の前方へ飛び出る方向に付勢される検出ピンを装填する検出ピン装填ブロックと，
前記ピン保持筒に収納される検出ピンの前記ばねの付勢力によって前記検出ピンの前記ピン保持筒から飛び出す方向を規制し、前記検出ピンを揃える検出ピン規制板と，
前記検出ピンを進退動作可能に収納する前記ピン保持筒を前記検出ピン装填ブロックの前記ケーブル挿入孔に対応する位置に保持する検出ピンホルダと，
からなり、
前記ケーブルの端末部のシースを皮剥処理して絶縁線心を露出させ、該絶縁線心を前記ケーブル挿入ブロックのケーブル挿入孔を介して横並び平行に仕切って前記検出ピン装填ブロックの導通ガイド孔の一方側から個別に挿入し、前記絶縁線心の各導体の端面を挿入された前記検出ピン装填ブロックの導通ガイド孔に、前記ピン保持筒から突出している前記検出ピンのピン先に突き合わせて当接させることにより、電流の流れの有無を検出して導通検査することを特徴とするケーブル導通検査装置。
【発明の詳細な説明】
【０００１】
【発明の属する技術分野】
本発明は、ＶＶＦケーブル（６００Ｖビニル絶縁ビニルシース平型ケーブル）等における内部導体の導通を電気検査するケーブル導通検査装置に関する。
【０００２】
【従来の技術】
配線後に導通不良が発覚するといったトラブルを避けるために、出荷前の段階でケーブル導体の導通検査が行われる。そのような導通検査装置の従来例に、先に本願出願人によって提案された特開平９−２０３７６３号公報に記載のケーブル用導通検査具と検査用検出ピンがある。これを図５（ａ），（ｂ）で示す。
【０００３】
被検査体のケーブル１はＶＶＦであり、導体３を絶縁体４で被覆した絶縁線心２の３本を平行に並べ、上から外被のシース５で被覆してなっている。導通検査具は、それら絶縁線心２の本数に対応する３つのプローブ（触端子）ピンと呼ばれる検出ピン６，７，８が備わっていて、それら３つの検出ピン６，７，８を図でいう上方向から同時降下させ、まず外皮のシース５を突き破り、続いて各絶縁線心２の絶縁体４を突き破って導体３にピン先を接触させる。その接触で電流が流れるかどうかを検出し、ケーブルとしての導通可否を検査する。
【０００４】
【発明が解決しようとする課題】
ところで、この図５（ａ），（ｂ）に示す特開平９−２０３７６３号公報の検査具をはじめ、他の一般的な導通検査装置では次の共通する問題点がある。
【０００５】
１つは、図５（ａ）に示すように、経時使用によって３つの検出ピンのうちのたとえば２本の検出ピン６，７が摩耗し、正常な他の１本の検出ピン８に対して長さ寸法Ｓだけ差違を生じたとする。その場合、正常な検出ピン８が導体３に接触しているにもかかわらず、摩耗した検出ピン６，７の２本はまだ導体３に接触できない事態が発生する。従来、そうした問題には、摩耗した寸法差Ｓだけ検出ピン６，７の下降ストロークを調整して対応し、図５（ｂ）に示すように、３本の検出ピン６，７，８を対応する各導体３に同時接触させるようにしている。
【０００６】
しかしながら、摩耗量だけ調整して３つの検出ピン６，７，８の下降ストロークを揃えても、検出ピン６，７のピン先が摩耗したままの状態になっていると、図６（ａ），（ｂ）に示すあらたな問題が発生する。
【０００７】
すなわち、検出ピン６，７の摩耗したピン先で絶縁体４やシース５を突き破ろうとしても切れ味が鈍いことに関連する問題である。図６（ａ）に示すように、下降ストロークを揃えた検出ピン６，７，８を同時にケーブル１のシース５に押しつけて突き破ることができても、たとえば真ん中の摩耗した検出ピン７のように、絶縁線心２の絶縁体４を突き破ることができない場合がある。すると、その検出ピン７は図６（ａ）中の符号Ａで示す反対領域に絶縁線心２を押し下げるだけであり、図６（ｂ）に示すように、絶縁線心２全体が反対領域Ａのシース５に潜るように下方へ逃げてしまう。結果、その検出ピン７は厚さｔの絶縁体４に拒まれて導体３に接触できず、導体３が正常であるにもかかわらず導通不良と検出してしまう不都合があり、検査の信頼性を損なうことはもとより、検査作業を著しく非能率なものにする。
【０００８】
一方、別の問題点の１つに、ケーブル１の外被のシース５が突き破られるために、それが痕跡として残り、製品としての見栄えを低下させる不具合がある。加えて、検出ピン６，７，８のピン先が導体３に接触することで、導体３に傷が付いてしまう不具合がある。そのため出荷時は、導体３が傷んだり、突き破りによって痕跡が残った部分のケーブル端末部をわざわざカットして除去するといった面倒がある。
【０００９】
したがって、本発明の目的は、被検査体であるケーブルの導体に検出ピンを確実に接触させて導通検査の信頼性や検査作業の能率を高め、またケーブル端末部を傷めないで済むケーブル導通検査装置を提供することにある。
【００１０】
【課題を解決するための手段】
上記目的を達成するために、本発明にかかる請求項１に記載のケーブル導通検査装置は、導体を絶縁体で被覆した絶縁線心の複数本を平行に並べて上からシースで被覆してなるケーブルの１本が挿入できる大きさの断面形状が全長にわたって形成されるケーブル挿入孔が設けられ、前記ケーブル挿入孔の前方を押圧する一対のケーブル把持レバーを支点ピンを介して回動可能に軸支し、前記ケーブル把持レバーの後端部にばねを結合し、該ばねの付勢によって、前記一対のケーブル把持レバーのそれぞれの前端部間に前記ケーブルをその平型の上下方向からばね力で挟み込むケーブル挿入ブロックと，
前記ケーブル挿入ブロックの前記ケーブル挿入孔の形成側とは反対側に設けられ、前記ケーブル挿入ブロックの前記ケーブル挿入孔に連通して前記ケーブルの複数本の絶縁線心を向心させて揃えるための向心用テーパ孔を設け、前記向心用テーパ孔に後続して前記複数本の絶縁線心を個々に、横並び平行に仕切って挿入する前記ケーブル挿入孔に対応した数の導通ガイド孔を形成し、前記複数本の絶縁線心を個々に、横並び平行に仕切って挿入する前記複数本の導通ガイド孔に、ピン保持筒に進退動作可能に収納され該ピン保持筒に装着されるばねによって該ピン保持筒の前方へ飛び出る方向に付勢される検出ピンを装填する検出ピン装填ブロックと，
前記ピン保持筒に収納される検出ピンの前記ばねの付勢力によって前記検出ピンの前記ピン保持筒から飛び出す方向を規制し、前記検出ピンを揃える検出ピン規制板と，
前記検出ピンを進退動作可能に収納する前記ピン保持筒を前記検出ピン装填ブロックの前記ケーブル挿入孔に対応する位置に保持する検出ピンホルダと，
からなり、
前記ケーブルの端末部のシースを皮剥処理して絶縁線心を露出させ、該絶縁線心を前記ケーブル挿入ブロックのケーブル挿入孔を介して横並び平行に仕切って前記検出ピン装填ブロックの導通ガイド孔の一方側から個別に挿入し、前記絶縁線心の各導体の端面を挿入された前記検出ピン装填ブロックの導通ガイド孔に、前記ピン保持筒から突出している前記検出ピンのピン先に突き合わせて当接させることにより、電流の流れの有無を検出して導通検査することを特徴とする。
【００１１】
以上の構成により、従来のように検出ピンのピン先でケーブルを突き破って導体に直角方向から接触させるのではなく、検出ピンのピン先と導体の端面を同軸上で平行方向から突き合わせて接触させるので、ピン先摩耗などによって導体への導通不良が発生することなく、確実に接触させて導通検査の信頼性や検査作業の能率を高める。また、ケーブル端末部のシース２４や絶縁体を突き破ることがないので、ケーブル端末部に突き破りの痕跡が残らず、また導体２２がピン先で傷つくこともない。
【００１６】
【発明の実施の形態】
以下、本発明にかかるケーブル導通検査装置の実施の形態について、図面を参照して詳細に説明する。
【００１７】
図１は、本装置の要部を構成する導通検査ブロック１０を示し、この導通検査ブロック１０に対して被検査体であるケーブル２０を挿入して導通検査に臨む状態を示す斜視図である。導通検査ブロック１０は、前部にケーブル挿入ブロック１１を備え，後部に検出ピン装填ブロック１２や検出ピン規制板１３、そして検出ピンホルダなどが結合されて一体化している。また、ケーブル２０としては、図２（ｃ）の断面図に示すように、導体２２を絶縁体２３で被覆した絶縁線心２の３本を平行に並べて上からシース２４で被覆したＶＶＦケーブル（６００Ｖビニル絶縁ビニルシース平型ケーブル）が示され、予め端末部のシース２４を皮剥処理して３本の絶縁線心２を露出させた状態で準備される。
【００１８】
ここで、導通検査ブロック１０の各部材について、ケーブル挿入ブロック１１にはその全長にわたってケーブル２０の１本が挿入できる大きさの断面形状を有するケーブル挿入孔１１ａが設けられている。また、側面からみた図３（ａ），（ｂ）に示すように、ケーブル挿入ブロック１１には上下一対のケーブル把持レバー１８が支点ピン１８ｂを介して回動可能に軸支され、レバー後端部に結合したばね１９で付勢することにより、レバー前端部１８ａ間にケーブル２０をその平型の上下方向からばね力で挟み込むことができるようになっている。
【００１９】
また、検出ピン装填ブロック１２は、ケーブル挿入ブロック１１のケーブル挿入孔１１ａに連通して３本の絶縁線心２１を向心させて揃えるための向心用テーパ孔１２ａを有し、この向心用テーパ孔１２ａに後続して３本の絶縁線心２１が個々に挿入する３本の導通ガイド孔１２ｂが横並び平行に仕切って形成されている。かかる検出ピン装填ブロック１２に設けたそれら３本の導通ガイド孔１２ｂにはそれぞれ検出ピン１５ａ，１５ｂ，１５ｃが装填された形で収容されている。検出ピン１５ａ，１５ｂ，１５ｃは、ホルダ１４に保持されたピン保持筒１５から前方へ飛び出る方向へばねで付勢されている。その検出ピン１５ａ，１５ｂ，１５ｃの飛び出し方向を検出ピン規制板１３で規制して揃えている。また、３つのピン保持筒１５は、それぞれリード線１６で導通検出部１７に接続されて検査回路を形成している。
【００２０】
次に、以上の構成による本実施の形態の装置において、被検査体のケーブル２０に対して導通検査を行う態様を説明する。
図１および図２（ａ），（ｂ）に示すように、ケーブル２０の端末部のシース２４が皮剥処理されて３本の絶縁線心２１を露出させ、導通検査に備える。すなわち、ケーブル２０の端末部をケーブル挿入ブロック１１のケーブル挿入孔１１ａに挿入すると、そうしたケーブル挿入動作に連動して一対のケーブル把持レバー１８がレバー前端部１８ａ間に端末部のシース２４を上下から弾性挟持して固定する。
【００２１】
挿入された３本の絶縁線心２１の先端部が検出ピン装填ブロック１２に達し、対応する導通ガイド孔１２ｂに挿入する。導通ガイド孔１２ｂでは検出ピン１５ａ，１５ｂ，１５ｃが待ち構えており、絶縁線心２１のそれぞれ導体２２の端面がずれることなくそうした検出ピン１５ａ，１５ｂ，１５ｃのピン先に当接し、それら検出ピン１５ａ，１５ｂ，１５ｃをばね付勢力に抗して押し戻し、ピン保持筒１５に押し込むようにする。
【００２２】
そのようにして、３本の絶縁線心２１の導体２２の端面が水平軸線上で検出ピン１５ａ，１５ｂ，１５ｃのピン先にずれることなく対向接触することで、リード線１６を介して検査回路に電流が流れ、それを導通検出部１７で検出して３本の導体２２のすべてに導通不良による異常が無いことを確認する。
【００２３】
ところで、図４に示すように、ケーブル２０の３本の絶縁線心２１にあって、仮にそのうちの１本の導体２２ａの端面が他の２本の導体２２ｂ，２２ｃの端面よりも寸法ｓだけ引き込んでいる場合がある。その場合、引き込み寸法ｓに対応して検出ピン１５ａがピン軸線Ｌ上を移動して他の検出ピン１５ｂ，１５ｃよりも前方へ飛び出る。そのようにして、導体２２ａ，２２ｂ，２２ｃの端面のいずれかが他の端面よりも引き込んで不揃いになっているような場合でも、そのずれに検出ピン１５ａ，１５ｂ，１５ｃが自在に対応して接触することができる。
【００２４】
【発明の効果】
以上説明したように、本発明にかかる請求項１に記載のケーブル導通検査装置は、従来のように検出ピンのピン先でケーブルを突き破って導体に直角方向から接触させるのではなく、検出ピンのピン先と導体の端面を同軸上で平行方向から突き合わせて接触させるので、ピン先摩耗などによって導体への導通不良が発生することなく、確実に接触させて導通検査の信頼性や検査作業の能率を高める。また、ケーブル端末部のシースや絶縁体を突き破ることがないので、ケーブル端末部に突き破りの痕跡が残らず、また導体がピン先で傷つくこともない。
【図面の簡単な説明】
【図１】本発明にかかるケーブル導通検査装置の実施の形態において、被検査体ケーブルを導通検査ブロックに挿入して導通検査に臨む状態を示す斜視図である。
【図２】同図（ａ）〜（ｃ）は、ケーブル挿入前と挿入後を示すそれぞれの平面断面図と、矢印Ａ−Ａ線からのケーブル断面図である。
【図３】同図（ａ），（ｂ）は、ケーブル挿入前と挿入後を示すそれぞれの側面断面図である。
【図４】導体の１本が端面から奥方へ引き込んでいる場合でもそれに検出ピンが対応して導通する状態を示す平面断面図である。
【図５】同図（ａ），（ｂ）は、従来例のケーブル導通検査装置において検出ピンの摩耗による導通不良の２つの態様を示すそれぞれの断面図である。
【図６】同図（ａ），（ｂ）は、従来例のケーブル導通検査装置において触端子の摩耗による導通不良の態様を示す検査前後のそれぞれ断面図である。
【符号の説明】
１０                    導通検査ブロック
１１                    ケーブル挿入ブロック
１１ａ                  ケーブル挿入孔
１２                    ピン装填ブロック
１２ａ                  向心用テーパ孔
１２ｂ                  導通ガイド孔
１３                    ピン規制板
１４                    ピン保持筒ホルダ
１５                    検出ピン保持筒
１５ａ，１５ｂ，１５ｃ  検出ピン
１６                    リード線
１７                    導通検出部
１８                    ケーブル把持レバー
１９                    ばね
２０                    ケーブル
２１                    絶縁線心
２２                    導体
２３                    絶縁体
２４                    シース
【図１】
0004086177.tif 000002
【図２】
0004086177.tif 000003
【図３】
0004086177.tif 000004
【図４】
0004086177.tif 000005
【図５】
0004086177.tif 000006
【図６】
0004086177.tif 000007